【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
無線通信システムにおける方法であって、
前記無線通信システムの少なくとも１つの通信デバイスによって、１つの送信プロトコルの１つのタイムスロット内のエッジシンボルであって、別の異なる送信プロトコルの、前記１つのタイムスロットに隣接する別のタイムスロットの別のシンボルに隣接するエッジシンボルを判定することと、
前記１つのタイムスロットと前記別のタイムスロットにおいて、前記無線通信システムの前記少なくとも１つの通信デバイスによって、複数のシンボルを含む前記１つのタイムスロット内の、前記別のタイムスロットの前記別のシンボルに隣接すると判定された前記エッジシンボルのみについて、
前記１つのタイムスロットと前記別のタイムスロットにおいて前記１つのタイムスロット内の前記エッジシンボルのみについてパイロット電力を増加すること、および、
前記１つのタイムスロットと前記別のタイムスロットにおいて前記１つのタイムスロット内の前記エッジシンボルのみについてパイロットサブキャリアの数を増加すること、
のうちの１つ又は複数を実行すること、
を具備する方法。
【請求項２】
前記１つのタイムスロットと前記別のタイムスロットにおいて前記１つのタイムスロット内の前記エッジシンボルのみについてパイロット電力を増加すること、および前記１つのタイムスロットと前記別のタイムスロットにおいて前記１つのタイムスロット内の前記エッジシンボルのみについてパイロットサブキャリアの数を増加すること、のうちの１つ又は複数を実行することは、
前記エッジシンボルを使用するチャネル推定のために、前記１つのタイムスロットと前記別のタイムスロットにおいて前記１つのタイムスロット内の前記エッジシンボルのみについて前記パイロット電力を増加すること、および前記１つのタイムスロットと前記別のタイムスロットにおいて前記１つのタイムスロット内の前記エッジシンボルのみについて前記パイロットサブキャリアの数を増加すること、のうちの１つ又は複数を実行すること、
を具備する、請求項１の方法。
【請求項３】
前記１つの送信プロトコルの前記１つのタイムスロットが前記別の送信プロトコルの前記別のタイムスロットに隣接しているかを判定することであって、前記１つの送信プロトコルはブロードキャスト送信を備え、前記別の送信プロトコルはユニキャスト送信を備える、判定すること、
をさらに具備する請求項１の方法。
【請求項４】
前記ブロードキャスト送信がエンハンスドマルチメディアブロードキャスト／マルチキャストサービス（Ｅ―ＭＢＭＳ：Ｅｎｈａｎｃｅｄ  Ｍｕｌｔｉｍｅｄｉａ  Ｂｒｏａｄｃａｓｔ／Ｍｕｌｔｉｃａｓｔ  Ｓｅｒｖｉｃｅ）送信を具備する請求項３の方法。
【請求項５】
前記エッジシンボル及び前記別のシンボルが直交周波数分割多重（ＯＦＤＭ）シンボルを具備する請求項１の方法。
【請求項６】
無線通信システムにおける装置であって、
１つの送信プロトコルの１つのタイムスロット内のエッジシンボルであって、別の異なる送信プロトコルの、前記１つのタイムスロットに隣接する別のタイムスロットの別のシンボルに隣接しているエッジシンボルを判定する手段と、および
前記１つのタイムスロットと前記別のタイムスロットにおいて、複数のシンボルを含む前記１つのタイムスロット内の、前記別のシンボルに隣接すると判定された前記エッジシンボルのみについて、
前記１つのタイムスロットと前記別のタイムスロットにおいて前記１つのタイムスロット内の前記エッジシンボルのみについてパイロット電力を増加すること、および、
前記１つのタイムスロットと前記別のタイムスロットにおいて前記１つのタイムスロット内の前記エッジシンボルのみについてパイロットサブキャリアの数を増加すること、
のうちの１つまたは複数を実行する手段と、
を具備する装置。
【請求項７】
前記１つのタイムスロットと前記別のタイムスロットにおいて前記１つのタイムスロット内の前記エッジシンボルのみについてパイロット電力を増加すること、および前記１つのタイムスロットと前記別のタイムスロットにおいて前記１つのタイムスロット内の前記エッジシンボルのみについてパイロットサブキャリアの数を増加すること、のうちの１つまたは複数を実行する手段は、
前記エッジシンボルを使用するチャネル推定のために、前記１つのタイムスロットと前記別のタイムスロットにおいて前記１つのタイムスロット内の前記エッジシンボルのみについて前記パイロット電力を増加すること、および前記１つのタイムスロットと前記別のタイムスロットにおいて前記１つのタイムスロット内の前記エッジシンボルのみについて前記パイロットサブキャリアの数を増加すること、のうちの１つまたは複数を実行する手段、
を具備する請求項６の方法。
【請求項８】
前記１つの送信プロトコルの前記１つのタイムスロットが前記別の送信プロトコルの前記別のタイムスロットに隣接しているかを判定する手段であって、前記１つの送信プロトコルはブロードキャスト送信を備え、前記別の送信プロトコルはユニキャスト送信を備える、判定する手段、
を更に具備する請求項６の装置。
【請求項９】
前記ブロードキャスト送信がエンハンスドマルチメディアブロードキャスト／マルチキャストサービス（Ｅ―ＭＢＭＳ：Ｅｎｈａｎｃｅｄ  Ｍｕｌｔｉｍｅｄｉａ  Ｂｒｏａｄｃａｓｔ／Ｍｕｌｔｉｃａｓｔ  Ｓｅｒｖｉｃｅ）送信を具備する請求項８の装置。
【請求項１０】
前記エッジシンボル及び前記別のシンボルが直交周波数分割多重（ＯＦＤＭ）シンボルを具備する請求項６の装置。
【請求項１１】
無線通信システムにおける通信デバイスであって、
プロセッサであって、
１つの送信プロトコルの１つのタイムスロット内のエッジシンボルであって、別の異なる送信プロトコルの、前記１つのタイムスロットに隣接する別のタイムスロットの別のシンボルに隣接しているエッジシンボルを判定し、および
前記１つのタイムスロットと前記別のタイムスロットにおいて、複数のシンボルを含む前記１つのタイムスロット内の、前記別のシンボルに隣接すると判定された前記エッジシンボルのみについて、
前記１つのタイムスロットと前記別のタイムスロットにおいて前記１つのタイムスロット内の前記エッジシンボルのみについてパイロット電力を増加すること、および、
前記１つのタイムスロットと前記別のタイムスロットにおいて前記１つのタイムスロット内の前記エッジシンボルのみについてパイロットサブキャリアの数を増加すること、
のうちの１つまたは複数を実行するように構成された、プロセッサ
を具備する通信デバイス。
【請求項１２】
前記１つのタイムスロットと前記別のタイムスロットにおいて前記１つのタイムスロット内の前記エッジシンボルのみについてパイロット電力を増加すること、および前記１つのタイムスロットと前記別のタイムスロットにおいて前記１つのタイムスロット内の前記エッジシンボルのみについてパイロットサブキャリアの数を増加すること、のうちの１つまたは複数を実行するように構成された前記プロセッサは、
前記エッジシンボルを使用するチャネル推定のために、前記１つのタイムスロットと前記別のタイムスロットにおいて前記１つのタイムスロット内の前記エッジシンボルのみについて前記パイロット電力を増加すること、および前記１つのタイムスロットと前記別のタイムスロットにおいて前記１つのタイムスロット内の前記エッジシンボルのみについて前記パイロットサブキャリアの数を増加すること、のうちの１つまたは複数を実行する、ように構成される請求項１１の通信デバイス。
【請求項１３】
前記プロセッサは、前記１つの送信プロトコルの前記１つのタイムスロットが前記別の送信プロトコルの前記別のタイムスロットに隣接しているかを判定するように更に構成され、ここにおいて、前記１つの送信プロトコルはブロードキャスト送信を備え、前記別の送信プロトコルはユニキャスト送信を備える、請求項１１の通信デバイス。
【請求項１４】
前記ブロードキャスト送信がエンハンスドマルチメディアブロードキャスト／マルチキャストサービス（Ｅ―ＭＢＭＳ：Ｅｎｈａｎｃｅｄ  Ｍｕｌｔｉｍｅｄｉａ  Ｂｒｏａｄｃａｓｔ／Ｍｕｌｔｉｃａｓｔ  Ｓｅｒｖｉｃｅ）送信を具備する請求項１３の通信デバイス。
【請求項１５】
前記エッジシンボル及び前記別のシンボルが直交周波数分割多重（ＯＦＤＭ）シンボルを具備する請求項１１の通信デバイス。
【請求項１６】
１つの送信プロトコルの１つのタイムスロット内のエッジシンボルであって、別の異なる送信プロトコルの、前記１つのタイムスロットに隣接する別のタイムスロットの別のシンボルに隣接するエッジシンボルを判定することと、
前記１つのタイムスロットと前記別のタイムスロットにおいて、複数のシンボルを含む前記１つのタイムスロット内の、前記別のシンボルに隣接すると判定された前記エッジシンボルのみについて、
前記１つのタイムスロットと前記別のタイムスロットにおいて前記１つのタイムスロット内の前記エッジシンボルのみについてパイロット電力を増加すること、および、
前記１つのタイムスロットと前記別のタイムスロットにおいて前記１つのタイムスロット内の前記エッジシンボルのみについてパイロットサブキャリアの数を増加すること、
のうちの１つ又は複数を実行すること、
を具備する動作を実行するプロセッサ上で実行可能な命令のセットでプログラムされた非一時的なコンピュータ可読媒体。
【請求項１７】
前記１つのタイムスロットと前記別のタイムスロットにおいて前記１つのタイムスロット内の前記エッジシンボルのみについてパイロット電力を増加すること、および前記１つのタイムスロットと前記別のタイムスロットにおいて前記１つのタイムスロット内の前記エッジシンボルのみについてパイロットサブキャリアの数を増加すること、のうちの１つ又は複数を実行することは、
前記エッジシンボルを使用するチャネル推定のために、前記１つのタイムスロットと前記別のタイムスロットにおいて前記１つのタイムスロット内の前記エッジシンボルのみについて前記パイロット電力を増加すること、および前記１つのタイムスロットと前記別のタイムスロットにおいて前記１つのタイムスロット内の前記エッジシンボルのみについて前記パイロットサブキャリアの数を増加すること、のうちの１つ又は複数を実行すること、
を具備する、請求項１６のコンピュータ可読媒体。
【請求項１８】
命令の前記セットは、
前記１つの送信プロトコルの前記１つのタイムスロットが前記別の送信プロトコルの前記別のタイムスロットに隣接しているかを判定することであって、前記１つの送信プロトコルはブロードキャスト送信を備え、前記別の送信プロトコルはユニキャスト送信を備える、判定すること、
を具備するさらなる動作を実行する命令を更に具備する、請求項１６のコンピュータ可読媒体。
【請求項１９】
前記ブロードキャスト送信がエンハンスドマルチメディアブロードキャスト／マルチキャストサービス（Ｅ―ＭＢＭＳ：Ｅｎｈａｎｃｅｄ  Ｍｕｌｔｉｍｅｄｉａ  Ｂｒｏａｄｃａｓｔ／Ｍｕｌｔｉｃａｓｔ  Ｓｅｒｖｉｃｅ）送信を具備する請求項１８のコンピュータ可読媒体。
【請求項２０】
前記エッジシンボル及び前記別のシンボルが直交周波数分割多重（ＯＦＤＭ）シンボルを具備する請求項１６のコンピュータ可読媒体。